(57)【要約】【課題】工具不要でカバーの取付けが可能であり、かつ第三者により簡単にカバーを取り外しできない監視用ビデオカメラのカバーロック機構を提供すること。【解決手段】カメラ本体部６の側面には、先端に突起部１ｂを有しカメラ本体部の中心側に変形可能なロックバネ１を設け、カバー４の周面には、ロックバネ１の突起部１ｂが挿入可能なカバー穴４ｂを設ける。そして、カバー４をカメラ本体部６に被せ、ロックバネ１をカバー４の内側に変形させ、突起部１ｂをカバー４の内側からカバー穴４ｂに嵌合させることで、カメラ本体部６にカバー４を固定する。【選択図】図１
2008177669.tif 000002
【特許請求の範囲】
【請求項１】
監視用ビデオカメラのカメラ本体部にドーム状のカバーを取付ける際のカバーロック機構であって、
上記カメラ本体部の側面に、先端に突起部を有し該カメラ本体部の中心側に変形可能なロックバネを設け、
上記カバーの周面に、上記ロックバネの突起部が挿入可能なカバー穴を設け、
上記ロックバネを上記カバーの内側に変形させ、上記突起部を上記カバーの内側から上記カバー穴に嵌合させることで、上記カメラ本体部に上記カバーを固定することを特徴とする監視用ビデオカメラのカバーロック機構。
【請求項２】
請求項１に記載の監視用ビデオカメラのカバーロック機構であって、
前記カメラ本体部と前記カバーとの接合する位置には、それぞれ互いに対となるシャーシ爪とカバー爪とを設け、
前記カバーを前記カメラ本体部に被せ、前記カバーを回転させて上記シャーシ爪とカバー爪とを係合させることで、前記カメラ本体部に前記カバーを接合することを特徴とする監視用ビデオカメラのカバーロック機構。
【請求項３】
請求項１または２に記載の監視用ビデオカメラのカバーロック機構であって、
前記突起部は前記カバー穴に嵌合した際に、前記カバーの表面から突き出さない高さに設定したことを特徴とする監視用ビデオカメラのカバーロック機構。
【請求項４】
請求項１ないし３のいずれか１項に記載の監視用ビデオカメラのカバーロック機構であって、
前記突起部の先端には外力が印加される微小凹部を設け、
前記カバーを前記カメラ本体部から取り外す場合、上記微小凹部に印加された外力で前記突起部を前記カバーの内側へ押し込み、前記突起部と前記カバー穴の嵌合を外すことを特徴とする監視用ビデオカメラのカバーロック機構。
【請求項５】
請求項１ないし４のいずれか１項に記載の監視用ビデオカメラのカバーロック機構であって、
前記ロックバネは、金属板バネの先端に樹脂材からなる前記突起部を設けて構成したことを特徴とする監視用ビデオカメラのカバーロック機構。
【発明の詳細な説明】
【技術分野】
【０００１】
本発明は、監視用ビデオカメラにカバーを取付けて固定するカバーロック機構に関するものである。
【背景技術】
【０００２】
従来の監視用ビデオカメラは、カメラ本体を外部から保護したり、カメラの撮影自身を目立たないようにするため、カメラ本体にドーム状のカバーを取付けて使用される。一方、カメラの調整や保守点検のために、カバーをカメラ本体から外して作業することが必要になる。
【０００３】
カメラ本体とカバーの取付け方法については、各種の提案がなされている。特許文献１では、カバーをカメラ本体にネジで取付ける方法が開示される。ネジ取付け以外の方法としては、特許文献２では、カバーに設けた係合片をカメラ本体に設けた係合溝に係合させるバヨネット方式が開示される。特許文献３では、ドーム筐体をカメラ本体にフックと取り付け金で固定する方法が開示される。
【０００４】
【特許文献１】特開２００５−２２１６３７号公報
【特許文献２】特開２００６−７４６５７号公報
【特許文献３】特開２００５−１３６８００号公報
【発明の開示】
【発明が解決しようとする課題】
【０００５】
特許文献１のようにネジ止めによる方法は固定が確実であり、専用の工具を用いることで信頼性が高い。しかしながら、取付け作業に時間がかかり、また工具を用いるため周囲が狭い場所での取付け作業は困難になる。これに対し特許文献２，３の方法は、特別な工具を必要とせずに簡単に取付できる。そして、取付け後にカバーに外力を加えることで簡単に外すことが可能である。その場合、カメラ設置作業者以外の第三者であってもカバーを外すことが容易であり、場合によってはカメラがいたずらされる恐れがある。信頼性が要求される監視用ビデオカメラでは、このようないたずらを受けにくい方法が必要である。
【０００６】
本発明の目的は、工具不要でカバーの取付けが可能であり、かつ第三者により簡単にカバーを取り外しできない監視用ビデオカメラのカバーロック機構を提供することにある。
【課題を解決するための手段】
【０００７】
本発明は、監視用ビデオカメラのカメラ本体部にドーム状のカバーを取付ける際のカバーロック機構であって、カメラ本体部の側面に、先端に突起部を有しカメラ本体部の中心側に変形可能なロックバネを設け、カバーの周面に、ロックバネの突起部が挿入可能なカバー穴を設ける。そして、ロックバネをカバーの内側に変形させ、突起部をカバーの内側からカバー穴に嵌合させることで、カメラ本体部にカバーを固定する構成とする。
【発明の効果】
【０００８】
本発明によれば、カバーの着脱が簡単で短時間で作業ができる。また、カメラ設置作業者以外の第三者がカバーを取り外すことが困難であるため、カメラへのいたずら防止の効果がある。
【発明を実施するための最良の形態】
【０００９】
以下、本発明の実施の形態を図面を用いて説明する。
【００１０】
図１は、本発明にかかる監視用ビデオカメラのカバーロック機構の一実施例を示す図である。図１（ａ）は、監視用ビデオカメラにカバー４を取付ける前のカメラ本体部６の構造を示す。撮影レンズ２ａなどを含むカメラユニット２は、シャーシ３を介しベース部５に固定されている。ベース取付部５ａは、ベース部５を設置面（例えば天井面）に取付け固定する部分である。シャーシ３にはカバー４を取付けるためのシャーシ爪３ａと、取付けたカバーを固定（ロック）するためのロックバネ１を設けている。ロックバネ１は、内側（カメラ本体部の中心側）に変形可能なバネ部１ａと、その先端に外側に向けた突起部１ｂと、カバー取付け時の位置合わせ用マーク（○印）１ｃを有する。
【００１１】
図１（ｂ）は、カバー４の構造とこれをカメラ本体部６に取付ける状態を示す図である。カバー４には、前記ロックバネ１の突起部１ｂと嵌合するカバー穴４ｂ、カバー取付け時の位置合わせマーク（▽印）４ｃを有する。また、前記シャーシ爪３ａと係合する図示しないカバー爪４ａを有する。カバー４を取付ける際は、まず、カバー４のマーク４ｃの位置をシャーシのマーク１ｃの位置に合わせる。そして、カバー４を矢印Ｚ方向に移動しカメラ本体部６に被せる。
【００１２】
図１（ｃ）は、被せたカバー４を矢印Ｘ方向に回転させる状態を示す。カバー４を回転させると、カバー爪４ａはカメラ本体部６のシャーシ爪３ａと係合することにより、カバー４はカメラ本体部６に接合される。そしてカバー穴４ｂがロックバネ１の突起部１ｂに対向するまで回転させると、突起部１ｂはカバー穴４ｂに嵌合する。
【００１３】
図１（ｄ）は、突起部１ｂがカバー穴４ｂに嵌合し、カバーロックが完了した状態を示す。突起部１ｂはバネ部１ａの復元力により、カバー穴４ｂに内側から押し込まれて嵌合している。よって、カバー４に回転方向の外力を加えても、カバー穴４ｂがストッパーとなって回転することを阻止する。
【００１４】
次に、カバー４をカメラ本体部６から取り外す場合を説明する。図１（ｄ）の状態で突起部１ｂにピン先などで外力を印加し、突起部１ｂをＹ方向に押し込みながらカバー４を矢印Ｘ’方向に逆回転させる。すると、突起部１ｂとカバー穴４ｂとの嵌合が外れ、カバー４は回転自由になる。そしてカバー爪４ａとシャーシ爪３ａの係合を外せば、図１（ｂ）のようにカバー４をカメラ本体部６から取り外すことができる。
【００１５】
このようにカバーを取付けるときは、ドライバなどの特殊工具なしで簡単に作業ができる。また、取付け用ネジを使用していないので、作業中においてネジを紛失するようなトラブルも発生しない。一旦カバーの取付けが完了すると、突起部１ｂとカバー穴４ｂとが嵌合しており、単にカバーに外力を与えても外すことはできない。よって、カメラ設置作業者以外の第三者がカバーを外そうとしても無理である。一方、監視カメラの設置業者は、本実施例のロック機構を知っているので、手持ちのピンや針金（先端が突起部以下の細いもの）を用いて、簡単にカバー取り外すことができる。
【００１６】
図２は、本実施例のカバーロック機構について詳細に示す図である。
【００１７】
カメラ本体部６の側面に設けたロックバネ１は、金属板バネからなるバネ部１ａと樹脂材からなる突起部１ｂで構成している。バネ部１ａは内側に変形可能であって、カバーロック時に外力に耐えるよう金属板を使用し強度を上げている。また金属板を使用することで、カメラユニット２とカバー４との狭い隙間にも配置可能である。なお、バネ部１ａを非金属の樹脂で構成することも可能である。
【００１８】
突起部１ｂは、カバー穴４ｂに嵌合できるようなサイズ（直径）とするのは勿論であるが、突起部１ｂの高さはカバー４の厚みと同程度としこれを超えないようにする。すなわち、嵌合時には、突起部１ｂはカバー４の表面から突き出さない高さに設定する。このようにすることで、カバー周囲面（カバー穴４ｂ）に手を触れても、誤って突起部１ｂを押し込みカバー４を外すことがない。そして、突起部１ｂの先端には微小凹部１ｂ’を設けている。これは、カバー４を取り外すためにピン先などで突起部１ｂを押し込む際に、ピン先をこの微小凹部１ｂ’に差し込むことでピン先の位置ずれがなく、カバー取り外し作業を容易にするためである。
【００１９】
また突起部１ｂの材質として樹脂を用いているが、ノイズ防止の効果がある。突起部１ｂはカバー穴４ｂから外部へ露出しているので、突起部１ｂが金属の場合には外部から電気ノイズを拾い、バネ部１ａを通してカメラユニット２に伝搬してカメラの映像が悪化する。突起部１ｂを非金属の樹脂とすることで、このようなノイズ発生を抑えることができる。なお、突起部１ｂは非金属であれば樹脂以外の材料としても構わない。
【００２０】
シャーシ３には、上方に折り曲げたシャーシ爪３ａを設けている。シャーシ爪３ａとシャーシ面の隙間にカバー爪４ａが係合することで、カバーと本体部とを接合する。
【００２１】
図３は、カバー取付け時のカバーと本体部との位置関係を示す図である。
【００２２】
（ａ）はカバー４を本体部６に被せた状態で、カバーの位置合わせマーク（▽印）４ｃを本体部の位置合わせマーク（○印）１ｃに合わせている。この状態ではカバー４のカバー穴４ｂは本体部６の突起部１ｂからずれている。また、突起部１ｂを含むロックバネ１は、カバー４の内面に変形した状態で接している。なお、対となるカバー爪４ａとシャーシ爪３ａとは離れて配置し、カバーを被せるとき互いに干渉しないようにしている。
【００２３】
（ｂ）は、カバーをＸ方向に回転させてロック完了した状態である。カバー爪４ａは対となるシャーシ爪３ａに係合し（図面で重なっている）、両者は接合される。さらに、カバー穴４ｂは突起部１ｂと対向し、「カチッ」というクリック音を発して嵌合する。作業者はこのクリック音でカバーロックが完了したことを確認できる。
【００２４】
本実施例によれば、カバーの着脱には特殊な工具を使用する必要がないため、天井の隅等の狭い場所でも簡単に設置作業を行うことができる。また、カメラ設置作業者以外の第三者がカバーを取り外すことが困難であるため、カメラへのいたずら防止の効果がある。
【図面の簡単な説明】
【００２５】
【図１】本発明にかかる監視用ビデオカメラのカバーロック機構の一実施例を示す図。
【図２】本実施例のカバーロック機構について詳細に示す図。
【図３】カバー取付け時のカバーと本体部との位置関係を示す図。
【符号の説明】
【００２６】
１…ロックバネ
１ａ…バネ部
１ｂ…突起部
１ｃ…位置合わせマーク（○印）
２…カメラユニット
２ａ…撮影レンズ
３…シャーシ
３ａ…シャーシ爪
４…カバー
４ａ…カバー爪
４ｂ…カバー穴
４ｃ…位置合わせマーク（▽印）
５…ベース部
５ａ…ベース取付部
６…カメラ本体部。
【図１】
2008177669.tif 000003
【図２】
2008177669.tif 000004
【図３】
2008177669.tif 000005